(57)【特許請求の範囲】
【請求項１】
リング部材を前面に有する文字板と、前記リング部材の内側において前記文字板上に配置形成されている表示意匠を指示する指針本体指示部と該指針本体指示部に連成し下面にモータに取り付けられる指針軸の先端部を差し込む指針袴を形成してなる指針本体基部とを有する指針を備え、前記文字板の前記表示意匠を指し示す前記指針本体指示部の駆動中心位置に前記指針軸と該指針軸の先端部に挿着する指針袴とを貫装する開口部を設け、前記指針の指針本体基部の下方で更には前記文字板の開口部よりも下に光源を配置してなる計器照明構造であって、
前記指針に対し別体で前記開口部に取り付ける導光部材モジュールを更に備え、
前記導光部材モジュールは、前記光源からの光を前記指針本体基部に向けて導光する指針用導光部と、前記光源からの光を前記リング部材に向けて導光するリング照明用導光部を有する光透過性の導光部材とを含み、
前記指針用導光部からの光を通過させる光通過口を有すると共に、前記リング照明用導光部における光の拡散を抑制する遮光カバーを含んで構成する
ことを特徴とする計器照明構造。
【請求項２】
請求項１に記載の計器照明構造において、
前記遮光カバーは、前記光通過口を有して前記指針本体基部側に位置する上遮光カバーと、前記導光部材の本体部を収容して前記光源側に位置する下遮光カバーとを備え、該下遮光カバーは、前記導光部材モジュールを前記開口部に取り付けるための取り付け手段を一体に有する
ことを特徴とする計器照明構造。
【請求項３】
請求項２に記載の計器照明構造において、
前記取り付け手段は、前記開口部の縁部に引っ掛かる環状の鍔部と、前記開口部の下方で引っ掛かりを生じさせる可撓性の係止突起とを有する
ことを特徴とする計器照明構造。
【請求項４】
請求項２に記載の計器照明構造において、
前記下遮光カバーは、前記本体部を保持する保持突起を有する
ことを特徴とする計器照明構造。
【発明の詳細な説明】
【技術分野】
【０００１】
本発明は、車両等に搭載される計器を照明する構造に関し、特に、文字板に設けたリング部材を照明するための計器照明構造に関する。
【背景技術】
【０００２】
近年、高級感や高品位感を増長させる等の目的で、例えば車両用計器は、様々な改良がなされている。下記特許文献１に開示された技術はそのうちの一つとして知られている。図８において、下記特許文献１に開示されたメータ装置は、所定のトリガーによって光源１０１が点灯すると、その光源１０１から上方へ向かう光が文字板１０２の開口部１０３を通過して、指針基端部から指針１０４の内部に入射する。その入射光は、指針１０４の内部に形成された反射面等を経由して指針１０４の先端方向に導光され、ホットスタンプ層１０５が光輝する。これにより、指針１０４は、ホットスタンプ層１０５の色調及び光源１０１に依存した色調で視認されるようになる。
【０００３】
一方、光源１０１から上方へ向かう光は、図中の光Ｒ１、Ｒ２、Ｒ３で示されるように、文字板１０２の開口部１０３から漏れてリング部材１０６の方向へ進行する。そして、例えば、光Ｒ１、Ｒ２がリング部材１０６の曲線的な断面凸状の内壁１０７に反射して、上方に向かうと、ドライバーのアイポイントＥＰ１、ＥＰ２に到達する。また、光Ｒ３も特に図示しないが、内壁１０７に反射して、上方に向かいドライバーのアイポイントに到達する。
【０００４】
尚、図中の引用符号１０８は指針本体、１０９は指針キャップ、１１０は指針軸部、１１１は回転軸、１１２はモータ、１１３はベースプレート、１１４はバランサ、１１５は表示意匠、１１６は係止片、１１７は縁取り部材、１１８は係止穴、１１９は見返し板、１２０は表ガラス、１２１は小孔部を示している。
【特許文献１】特開２００３−２２２５３９号公報  （第６頁、第３図）
【発明の開示】
【発明が解決しようとする課題】
【０００５】
上記従来技術にあっては、開口部１０３からの漏れ光Ｒ１、Ｒ２、Ｒ３を利用して、リング部材１０６を光輝させるように構成されている。しかしながら、漏れ光Ｒ１、Ｒ２、Ｒ３は、比較的弱い光であるために、十分にリング部材１０６を光輝させることができないという問題点を有している。
【０００６】
上記問題点を解消するために、リング部材自体を発光させるという対策案があるが、リング部材に直接、導光部材を設けなければならず、スペースの確保が困難であることや、重量が嵩むこと、さらには構造が複雑になること等の幾つかの問題点を有している。
【０００７】
また、リング部材に向けて光を導光する導光部材を指針に一体化するという対策案もあるが、指針の指針軸に対する打ち込み高さによって導光部材の発光する部分が、文字板の開口部を介して内側に隠れてしまう恐れがあることから、計器毎に比べてみると、発光する部分の面積にバラツキが生じ、その結果、計器全体としての均一なリング部材照明が得られないという問題点を有している。
【０００８】
その他、リング部材に向けて光を導光する導光部材を指針に設けた場合、導光部材からの光が指針に漏れると、その漏れた光によって不具合が生じるという問題点も有している。
【０００９】
本発明は、上述した事情に鑑みてなされたもので、省スペース化が可能であるとともに構造が簡単であり、さらにはリング部材の均一な照明がなされて視認性の向上が図られる計器照明構造を提供することを課題とする。
【課題を解決するための手段】
【００１０】
上記課題を解決するためになされた請求項１記載の本発明の計器照明構造は、リング部材を前面に有する文字板と、前記リング部材の内側において前記文字板上に配置形成されている表示意匠を指示する指針本体指示部と該指針本体指示部に連成し下面にモータに取り付けられる指針軸の先端部を差し込む指針袴を形成してなる指針本体基部とを有する指針を備え、前記文字板の前記表示意匠を指し示す前記指針本体指示部の駆動中心位置に前記指針軸と該指針軸の先端部に挿着する指針袴とを貫装する開口部を設け、前記指針の指針本体基部の下方で更には前記文字板の開口部よりも下に光源を配置してなる計器照明構造であって、
前記指針に対し別体で前記開口部に取り付ける導光部材モジュールを更に備え、
前記導光部材モジュールは、前記光源からの光を前記指針本体基部に向けて導光する指針用導光部と、前記光源からの光を前記リング部材に向けて導光するリング照明用導光部を有する光透過性の導光部材とを含み、
前記指針用導光部からの光を通過させる光通過口を有すると共に、前記リング照明用導光部における光の拡散を抑制する遮光カバーを含んで構成することを特徴としている。
【００１１】
このような特徴を有する本発明によれば、光源からの光が導光部材モジュールの導光部材に入射すると、入射した光はリング照明用導光部に向けて導光される他に、指針用導光部にも導光される。リング照明用導光部に導光された光は、遮光カバーによって光の拡散が抑制されつつ、その後、リング照明用導光部から出射してリング部材に向けて進行する。リング照明用導光部からの光によってリング部材が照明されると、リング部材は恰も自身が発光したかのような状態になる。そして、リング部材で反射した光は、文字板前方のアイポイントに向けて進行する。
また、指針用導光部に導光された光は、指針用導光部から出射して遮光カバーの光通過口を通過し、そして、指針本体基部に入射する。指針本体基部に入射した光は、指針本体基部の反射面等を経由して指針本体指示部に導光され、これに伴って例えば指針本体のホットスタンプ層が光輝する。この時、指針本体は、ホットスタンプ層の色調及び光源に依存した色調に光輝する。
【００１４】
請求項２記載の本発明の計器照明構造は、請求項１に記載の計器照明構造において、前記遮光カバーは、前記光通過口を有して前記指針本体基部側に位置する上遮光カバーと、前記導光部材の本体部を収容して前記光源側に位置する下遮光カバーとを備え、該下遮光カバーは、前記導光部材モジュールを前記開口部に取り付けるための取り付け手段を一体に有することを特徴としている。
【００１５】
このような特徴を有する本発明によれば、導光部材モジュールは、導光部材が遮光カバーに収容された状態で、下遮光カバーの取り付け手段を介して、文字板の開口部に取り付けられる。導光部材モジュールは、取り付け専用の部品の新設が不要になる構造を有する。
【００１６】
請求項３記載の本発明の計器照明構造は、請求項２に記載の計器照明構造において、前記取り付け手段は、前記開口部の縁部に引っ掛かる環状の鍔部と、前記開口部の下方で引っ掛かりを生じさせる可撓性の係止突起とを有することを特徴としている。
【００１７】
このような特徴を有する本発明によれば、導光部材モジュールは、下遮光カバーの鍔部が文字板の開口部縁部に引っ掛かり、下遮光カバーの係止突起が例えば文字板の後ろでその文字板を支持するケースに引っ掛かることによって、文字板の開口部に取り付けられる。導光部材モジュールは、文字板の前面側から差し込まれるようにして開口部に取り付けられる。
【００１８】
請求項４記載の本発明の計器照明構造は、請求項２に記載の計器照明構造において、前記下遮光カバーは、前記本体部を保持する保持突起を有することを特徴としている。
【００１９】
このような特徴を有する本発明によれば、導光部材は遮光カバーに収容されると、保持突起によって保持され、その結果、位置ズレが防止される。リング部材に向けて出射する光の光量は、導光部材の位置ズレがないことから安定する。
【発明の効果】
【００２０】
請求項１に記載された本発明によれば、リング部材に向けて光を導光する他に、指針用導光部にも導光する導光部材モジュールを文字板の開口部に取り付けてなる構造であることから、構造の簡素化を図ることができるのは勿論のこと、省スペース化も図ることができる。また、導光部材モジュールを指針に対して別体にする構造であることから、導光部材モジュールの取り付け位置を指針の打ち込み高さに関係なく決めることができる。
さらに、遮光カバーを有する導光部材モジュールであることから、不要な箇所へ漏れようとする光を遮光カバーによって抑制することができる。従って、本発明によれば、簡単な構造で省スペース化も可能な計器照明構造を提供することができる。また、本発明によれば、リング照明用導光部からリング部材に向けて出射する光を同サイズの他の計器と同じ光量にすることができる。そして、これにより、計器全体としての均一なリング照明を図ることができる。
そして、本発明によれば、遮光カバーを有する導光部材モジュールを文字板の開口部に取り付けても、光源からの光を確実に指針本体基部へ導光することができる。これにより、指針本体を従来と同様に光輝させることができる。
このようにして、本発明によれば、従来よりも視認性のよい計器照明構造を提供することができる。
【００２２】
請求項２に記載された本発明によれば、導光部材モジュールの取り付けを簡単に行うことができる。
【００２３】
請求項３に記載された本発明によれば、鍔部と係止突起とを有する取り付け手段によって、導光部材モジュールの取り付けを簡単に行うことができる。
【００２４】
請求項４に記載された本発明によれば、保持突起によって、遮光カバーに収容した導光部材の位置ズレを防止することができる。これにより、リング部材に向けて出射する光の光量を安定させることができる。
【発明を実施するための最良の形態】
【００２５】
以下、図面を参照しながら説明する。図１は本発明の計器照明構造の一実施の形態であり、コンビネーションメータに適用された場合の状態を示す正面図である。
【００２６】
図１において、引用符号１は本発明の計器照明構造が適用される一例としてのコンビネーションメータを示している。そのコンビネーションメータ１は、自動車に搭載されるものであって、燃料計部２、タコメータ部３、ウォーニング表示部４、方向指示部５、スピードメータ部６、オドメータ部７、及び水温計部８等を含んで構成されている。上記各部２〜８は、後述の数字、文字、キャラクタ等の表示意匠や意匠パターンを表示する文字板を有している。
【００２７】
コンビネーションメータ１の前面側を形成する見返し板９は、上記各部２〜８に対応する表示窓を有しており、側面及び後面側を構成するメータケース１０と一体化されて、コンビネーションメータ１の外形を構成している。上記各部２〜８の前方は、黒色系透明の表ガラス１１で覆われている。その表ガラス１１の色調と各文字板や見返し部の色調とが相まって、消灯時には、コンビネーションメータ１がブラックフェイス化されるように構成されている。
【００２８】
上記各文字板の後面側には、燃料計部２、タコメータ部３、スピードメータ部６、及び水温計部８の各指針を所定角度回転させるモータが各々配設されている。そのモータは、制御機構からの指令を受けて作動するように構成されている。オドメータ部７には、上記制御機構からの指令を受けて所定の累積走行距離を表示するＬＣＤ（Liquid Crystal Display）等の表示装置が設けられている。上記各文字板の後面側には、その各文字板及び上記指針に光を供給して照明する光源が配設されている。
【００２９】
燃料計部２は、その指針１２が文字板１３上に形成された表示意匠である燃料残量を指示するものとして構成されている。また、タコメータ部３は、その指針１４が文字板１５上に形成された表示意匠であるエンジン回転数を指示するものとして構成されている。ウォーニング表示部４は、オイル不足、ブレーキ警告、充電警告等の各警報をそれらに応じたキャラクタを照明することにより警報表示するものとして構成されている。方向指示部５は、車両走行方向の変更を指示するものとして構成されている。スピードメータ部６は、その指針１６が文字板１７上の走行スピードを指示するものとして構成されている。
【００３０】
ここで、スピードメータ部６の駆動機構について簡単に説明すると、指針１６が文字板１７上の該当する車両速度に対応する文字又は目盛りを指示することにより、走行スピードが表示されるようになっている。指針１６は、車両速度を計測するセンサによって検出された走行スピードに対応する値に基づき、上記制御機構及び上記モータを含む指針駆動機構により、所定角度だけ回動制御されるように構成されている。
【００３１】
オドメータ部７は、累積走行距離を表示するものとして構成されている。水温計部８は、その指針１８が文字板１９上の水温を表示するものとして構成されている。これら各部２〜８の駆動機構は公知のものであり、本発明の要旨を理解するには必要がないので、ここではその説明を省略するものとする。尚、各文字板１３、１５、１７、及び１９は、それぞれ一枚の板状に形成してもよいし、近接する部位毎に一枚の板状に形成してもよいものとする。ここでは各文字板が独立しているものとする。
【００３２】
各文字板１３、１５、１７、及び１９は、所定のトリガー信号に応答して各文字板に対する文字板用光源から供給される光により、後面から照明されるようになっている。また、各文字板１３、１５、１７、及び１９に対応する指針１２、１４、１６、及び１８も所定のトリガー信号に応答して、指針用光源から供給される光により光輝するようになっている。尚、文字板用光源及び指針用光源を有することから、コンビネーションメータ１は、指針、文字板の順に時差点灯させたり、指針及び文字板を同時に点灯させたりすることができるように構成されている。これにより、点灯に応答して、ブラックフェイス化されていたメータ前面から鮮やかに各表示意匠が浮かび上がり、その浮かび上がった表示意匠がドライバーによって視認されるようになっている。
【００３３】
燃料計部２、タコメータ部３、スピードメータ部６、及び水温計部８には、それぞれ円形状のアナログタイプの表示意匠を周回するようなリング部材２０、２１、２２及び２３が設けられている。その各リング部材２０、２１、２２及び２３は、例えば蒸着や印刷等により金属調に仕上げられている。また、光沢性を有するように仕上げられている。各リング部材２０、２１、２２及び２３は、後述する導光部材モジュールを用いて光源からの光が供給され、そして、照明されるようになっている。各リング部材２０、２１、２２及び２３は、それぞれ照明されることにより、ドライバーに向けてリング状に光を発するようになっている。
【００３４】
次に、図２ないし図７を参照しながら、上記スピードメータ部６を代表例として、リング部材２２の照明に関する構成及び作用効果を順に説明する。図２は図１のスピードメータ部の分解斜視図、図３は図２の指針及び導光部材モジュールの拡大図、図４は図１のスピードメータ部の断面図、図５は図４の要部拡大図、図６は上遮光カバーの図であり、（ａ）は平面図、（ｂ）は正面図、（ｃ）は底面図、（ｄ）はＡ−Ａ線断面図、図７は下遮光カバーの図であり、（ａ）は平面図、（ｂ）は正面図、（ｃ）は底面図、（ｄ）はＢ−Ｂ線断面図である。
【００３５】
図２において、文字板１７は、例えばポリカーボネートシートからなる光透過性を有する円板状の薄いシート部材からなるものであって、このような文字板１７には、走行スピードを示す数字「０」、「２０」、「４０」…やキャラクタ「ｋｍ／ｈ」等の表示意匠が形成されている。その表示意匠は、上記数字やキャラクタを中抜きにして、文字板１７の前面に例えば黒系統色のインクを塗布することにより形成されている。走行スピードを示す数字「０」、「２０」、「４０」…は、指針軸２４（図４及び図５参照）を中心として文字板１７上を回動する指針１６の先端部により指示されるように配置形成されている。文字板１７上には、車両速度を示す数字「０」、「２０」、「４０」…を周回するようにリング部材２２が設けられている。
【００３６】
図２ないし図５において、指針１６は、光透過性を有する合成樹脂材料により成形された導光性を有する細長い先細り形状の指針本体２５を有している。指針本体２５の下面には、指針１６を所定の色に光輝させるためのホットスタンプ層が形成されている。このような指針本体２５は、指針本体基部２６と、その指針本体基部２６に連成される指針本体指示部２７とを有している。
【００３７】
指針本体指示部２７は、指針１６の上記先端部となる部分として形成されている。指針本体基部２６の下面には、指針軸２４の先端部が差し込まれる指針袴２８が取り付けられている。指針本体２５は、指針軸２４及び指針袴２８を中心にして文字板１７の前面側を回動するように取り付けられている。指針袴２８の反対側となる指針本体基部２６の上面側には、黒色の指針キャップ２９が取り付けられている。その指針キャップ２９は、指針本体基部２６を覆うことができる形状に形成されている。
【００３８】
指針本体基部２６には、水平方向の面となり、光源３０からの光が入射する入射面３１と、所定の角度で傾斜して入射面３１から入射した光３２を反射する反射面３３とが形成されている。反射面３３は、指針本体指示部２７に向けて光３２を反射するために形成されている。入射面３１及び反射面３３は、指針本体２５の長手方向において、指針軸２４の位置よりも前方に配置形成されている。
【００３９】
文字板１７は、ケース３４により配線板３５から所定の間隔を有するように配設されている。文字板１７とケース３４との間には、拡散板３６が設けられている。ケース３４には、文字板１７及び拡散板３６の各周縁部を載置するための載置部３７が形成されている。また、載置部３７の外側には、リング部材２２を載置するための載置部３８が形成されている。リング部材２２は、文字板１７の上記周縁部を押さえ付けるような状態でケース３４に固定されている。ケース３４の上面側であってリング部材２２の外側には、見返し板９（図１参照）が配設されている。尚、ケース３４は、メータケース１０（図１参照）の一部として形成してもよいものとする。
【００４０】
配線板３５の上面には、指針用の複数個の光源３０と、文字板用の複数個の光源３９とが設けられている。その光源３０及び３９は、文字板１７の後面から所定の間隔だけ離間するように配設されている。光源３０及び３９としては、例えばＬＥＤ（Light Emitting Diode）が利用可能であるものとする。配線板３５の下面には、上記指針駆動機構を構成するモータ４０が固定されている。モータ４０には、指針軸２４が取り付けられている。
【００４１】
文字板１７には、指針袴２８が差し込まれるとともに、指針用の複数個の光源３０からの光３２等が通過する円形の開口部４１が貫通形成されている。その開口部４１は、配線板３５の複数個の光源３０の上方に開口、且つ、指針本体基部２６の下方に開口するように形成されている。このような開口部４１には、本発明の要旨となる導光部材モジュール４２が取り付けられている。
【００４２】
導光部材モジュール４２は、光源３０からの光の一部、すなわち光３２を指針本体基部２６の入射面３１に向けて導光するための部材として構成されている。また、導光部材モジュール４２は、光源３０からの光の一部、すなわち光４３をリング部材２２の内周面４４に向けて導光するための部材としても構成されている。このような導光部材モジュール４２は、光を透過する性質を有する導光部材４５と、光を遮光する性質を有する遮光カバー４６とを備えて構成されている。以下、図２ないし図７を参照しながら説明する。
【００４３】
導光部材４５は、光透過性を有する合成樹脂材料により成形された導光性を有する略筒状の部材であって、本体部４７と指針用導光部４８とリング照明用導光部４９とを有している。本体部４７は、光源３０からの光３２及び４３が入射する部分として形成されている。指針用導光部４８は、光源３０からの光３２が導光された後、その光３２を指針本体基部２６の入射面３１に向けて導光する部分として形成されている。リング照明用導光部４９は、光源３０からの光４３が導光された後、その光４３をリング部材２２の内周面４４に向けて導光する部分として形成されている。
【００４４】
本体部４７、指針用導光部４８、及びリング照明用導光部４９は、一体に形成されている。本体部４７は、開口部４１から下方に位置するように形成されている。一方、指針用導光部４８及びリング照明用導光部４９は、開口部４１から上方に位置するように形成されている。指針用導光部４８及びリング照明用導光部４９は、指針用導光部４８の方が内側となるように配置形成されている。指針用導光部４８及びリング照明用導光部４９は、リング照明用導光部４９の反射面を形成するようなテーパ部５０によって隔てられている。
【００４５】
本体部４７の入射面は、光源３０に対向するように配置形成されている。指針用導光部４８の出射面は、指針本体基部２６の入射面３１に対向するように配置形成されている。リング照明用導光部４９の出射面は、リング部材２２の内周面４４に向くように配置形成されている。
【００４６】
遮光カバー４６は、遮光性を有する合成樹脂材料により成形された部材であって、導光部材４５を収容するとともに、リング照明用導光部４９における光の拡散を抑制することができるように形成されている。遮光カバー４６は、上遮光カバー５１と下遮光カバー５２とを備えて構成されている。
【００４７】
上遮光カバー５１は、光通過口５３を有している。その光通過口５３には、指針用導光部４８の外周先端側に存する溝（符号省略）に引っ掛かる係止突起５４が形成されている。上遮光カバー５１は、係止突起５４によって指針用導光部４８に取り付けられるように形成されている。このような上遮光カバー５１は、指針用導光部４８に対して取り付けられると、上遮光カバー５１の外周縁部がリング照明用導光部４９の上部を覆うようになっている。
【００４８】
下遮光カバー５２は、導光部材４５の本体部４７を収容することができるように形成されている。下遮光カバー５２には、開口部４１の縁部に引っ掛かる環状の鍔部５５と、ケース３４に引っ掛かる可撓性の係止突起５６とが形成されている。鍔部５５及び係止突起５６は、導光部材モジュール４２を開口部４１に取り付けるための取り付け手段として設定されている。鍔部５５は、リング照明用導光部４９の下部を覆うようにもなっている。係止突起５６の内側には、本体部４７を保持する保持突起５７が形成されている。保持突起５７は、半球状に形成されている。
【００４９】
導光部材モジュール４２の組み立ては、導光部材４５の本体部４７を下遮光カバー５２に差し込んで収容するとともに、上遮光カバー５１を導光部材４５の指針用導光部４８に嵌合させて取り付けると完了するようになっている。また、導光部材モジュール４２の開口部４１に対する取り付けは、導光部材モジュール４２を文字板１７の前面側から開口部４１に差し込むことにより取り付けられるようになっている。すなわち、導光部材モジュール４２は、下遮光カバー５２の鍔部５５が開口部４１に引っ掛かり、係止突起５６がケース３４に引っ掛かって係止されると、開口部４１への取り付けが完了するようになっている。
【００５０】
上記構成において、所定のトリガーによって光源３０が点灯すると、その光源３０から上方へ向かう光３２及び４３は、導光部材モジュール４２の本体部４７に入射する。そして、本体部４７に入射した光３２及び４３のうち、光３２は指針用導光部４８の出射面から出射して指針本体基部２６の入射面３１に入射する。その入射面３１に入射した光３２は、指針本体基部２６の反射面３３等を経由して指針本体指示部２７に導光され、これに伴ってホットスタンプ層が光輝する。この時、指針本体２５は、ホットスタンプ層の色調及び光源３０に依存した色調でドライバーに視認されるようになる。
【００５１】
一方、導光部材モジュール４２の本体部４７に入射した光４３は、リング照明用導光部４９に導光される。この時、リング照明用導光部４９に導光された光４３は、遮光カバー４６によって光の拡散が抑制される。リング照明用導光部４９に導光された光４３は、リング照明用導光部４９の出射面から出射し、そして、その出射した光４３は、リング部材２２の内周面４４に向けて進行する。リング部材２２の内周面４４で反射された光４３は、上方に向かってドライバーのアイポイントに到達する。リング部材２２は、本形態において、メタリック調に発光する（一例であるものとする）。
【００５２】
尚、リング部材２２の内周面４４は、図示の如く外側に向かって開口するような傾斜（又は湾曲でもよい）を有するように形成されている。従って、このような内周面４４により反射された光４３は、ある程度の角度範囲を持って文字板１７の前方に向かうようになる。多少のアイポイントの変動は、吸収されるようになる。これにより、ドライバーの姿勢や体型に依存することなく高品位感を与えることが可能になるのは言うまでもない。
【００５３】
リング部材２２の内周面４４に関しては、特に図示しないが、反射層を設けてリング部材２２全体を均一に照明するとともに、アイポイント以外への反射を抑制するような構造にしてもよいものとする。ここでの反射層は、例えばシボ、セレーション、ブラッシング等の加工を施すことにより設けられるものとする（この限りではないものとする。反射層は塗装等でも代用可能である）。
【００５４】
以上、図１ないし図７を参照しながら説明してきたように、本発明は、リング部材２２に向けて光４３を導光する導光部材モジュール４２を文字板１７の開口部４１に取り付けてなる計器照明構造であることから、リング部材２２を従来よりも格段に明るい状態に照明することができる。また、上述の説明からも分かるように、構造の簡素化を図ることができるのは勿論のこと、省スペース化も図ることができる。さらに、導光部材モジュール４２を指針１６に対して別体にする計器照明構造であることから、導光部材モジュール４２の取り付け位置を指針１６の打ち込み高さに関係なく決めることができる。さらにまた、遮光カバー４６を有する導光部材モジュール４２を備えた計器照明構造であることから、不要な箇所への光漏れを遮光カバー４６によって抑制することができる。
【００５５】
従って、本発明によれば、簡単な構造で省スペース化も可能な計器照明構造を提供することができる。また、本発明によれば、導光部材モジュール４２からリング部材２２に向けて出射する光４３を同サイズの他の計器（タコメータ部３）と同じ光量にすることができる。そして、これにより、計器全体としての均一なリング照明を図ることができる。さらに、従来よりも視認性のよい計器照明構造を提供することができる。
【００５６】
その他、本発明は本発明の主旨を変えない範囲で種々変更実施可能なことは勿論である。
【００５７】
尚、上述の計器照明構造は、スピードメータ部６以外にも適用することが可能であるものとする。また、ブラックフェースタイプや時差点灯タイプのメータ装置の計器照明構造のみならず、一般的なメータ装置の計器照明構造としても適用することが可能であるものとする。さらに、リング部材２２の形状は完全な円形リング状に限るものではなく、楕円形リング状や一部が切り欠かれたリング状であってもよいものとする。さらにまた、リング部材２２の内周面４４に、目盛りを設けて目盛り付きリング部材としてもよいものとする。
【図面の簡単な説明】
【００５８】
【図１】本発明の計器照明構造の一実施の形態であり、コンビネーションメータに適用された場合の状態を示す正面図である。
【図２】図１のスピードメータ部の分解斜視図である。
【図３】図２の指針及び導光部材モジュールの拡大図である。
【図４】図１のスピードメータ部の断面図である。
【図５】図４の要部拡大図である。
【図６】上遮光カバーの図であり、（ａ）は平面図、（ｂ）は正面図、（ｃ）は底面図、（ｄ）はＡ−Ａ線断面図である。
【図７】下遮光カバーの図であり、（ａ）は平面図、（ｂ）は正面図、（ｃ）は底面図、（ｄ）はＢ−Ｂ線断面図である。
【図８】従来例のメータ装置の要部断面図である。
【符号の説明】
【００５９】
１  コンビネーションメータ
６  スピードメータ部
１６  指針
１７  文字板
２２  リング部材
２４  指針軸
２５  指針本体
２６  指針本体基部
２７  指針本体指示部
２８  指針袴
２９  指針キャップ
３０  光源
３２  光
４１  開口部
４２  導光部材モジュール
４３  光
４４  内周面
４５  導光部材
４６  遮光カバー
４７  本体部
４８  指針用導光部
４９  リング照明用導光部
５０  テーパ部
５１  上遮光カバー
５２  下遮光カバー
５３  光通過口
５４  係止突起
５５  鍔部（取り付け手段）
５６  係止突起（取り付け手段）
５７  保持突起
【図１】
0004744204.tif 000002
【図２】
0004744204.tif 000003
【図３】
0004744204.tif 000004
【図４】
0004744204.tif 000005
【図５】
0004744204.tif 000006
【図６】
0004744204.tif 000007
【図７】
0004744204.tif 000008
【図８】
0004744204.tif 000009